(57)【要約】【課題】出入口外部に群がる虫の建物内への進入を確実に防止する。【解決手段】出入口への人の接近動作を検出し、出入口外側上部に設けられた虫進入防止装置１０を作動させその送風口１３ａを下方に向けて噴射させると共に前記送風口を上方に向けてエアを噴射させながら水平面近くまで回動させ、出入口の扉に設けられた扉開閉センサ１６の閉止信号又はエアカーテン作動開始時点からの経過時間を測定して、設定時間後に終了信号を送るタイマー操作によって送風口１３ａを下方に向けて回動させ下方位置に復帰させて停止させる。【選択図】　図４
2004061079.tif 000002
【特許請求の範囲】
【請求項１】
建物のドアや扉等の出入口に配置された人体感知センサと、前記出入口上部に配置されエアを噴出させる送風口の噴出角度を回動させる回動機構を備えたエアカーテン部と、前記人体感知センサの信号に基づいて前記エアカーテン部の送風オンオフ動作及び前記送風口の回動動作を制御する制御部と、を備えたことを特徴とする虫進入防止装置。
【請求項２】
前記エアカーテン部が設けられる前記出入口上部の庇内側に照明器具が配置されていることを特徴とする請求項１に記載の虫進入防止装置。
【請求項３】
前記制御部が前記人体感知センサからの出力信号をカウントして演算表示するカウント表示部を備えていることを特徴とする請求項１又は２に記載の虫進入防止装置。
【請求項４】
建物の出入口への人の接近動作を検出する検出工程と、前記接近動作を検出して出入口外側上部に設けられた虫進入防止装置を作動させその送風口を下方に向けて噴射させると共に、前記送風口を、上方に向けてエアを噴射させながら水平面近くまで回動させるエア噴射工程と、前記出入口の扉に設けられた扉開閉センサの閉止信号又はエアカーテン作動開始時点からの経過時間を測定して設定時間後に終了信号を送るタイマー操作によって前記エアカーテンの送風口を下方に向けて回動させ下方位置に復帰させて停止する復帰工程と、を有することを特徴とする虫進入防止装置を用いた虫進入防止方法。
【発明の詳細な説明】
【０００１】
【発明の属する技術分野】
本発明は、人の出入りする出入口に設置して羽虫や蚊、蛾等の虫が室内へ進入するのを防止する虫進入防止装置及びこれを用いた虫進入防止方法に関する。
【０００２】
【従来の技術】
従来、家の出入口等では人の出入りに伴って出入口の扉やドア等から外部の照明器具等に誘引された蚊、羽虫などの虫が進入して、それらの駆除に苦労していた。また、食品メーカー等においては、衛生管理上搬入口からの室内への害虫の進入を防止する必要があり、搬入口をエアの流れにより遮蔽するエアカーテン装置が利用されている。
このような出入口からの虫の進入を阻止するための虫進入防止装置としては、例えば以下のようなものが知られている。
（１）特開平１１−２４８２２０号公報には、通路空間を横方向に横断するエアカーテン気流の吹出口を対向して設けると共に、前記各吹出口の吹出し方向を、夫々の吹出し位置から室外側に向けて適宜の吹出し角度をなし且つ通路空間内で互いに交差するように配向して防虫効果や室内への気流の影響を低減させるようにした装置が記載されている。
（２）特開２００２−１１５８８４号公報には、人体感知センサや扉開閉センサによって扉が開かれたことを感知して、空気吹き出し機の空気吹き出し部分から空気を吹き出して、扉が開けられた時の扉の解放部に空気の流れをつくって昆虫等の進入を防ぐようにした昆虫進入防止装置が記載されている。
【０００３】
【発明が解決しようとする課題】
しかし、前記エアカーテンを用いた装置は以下のような課題を有していた。（１）特開平１１−２４８２２０号公報に記載の装置は、エアの吹き出口を対向させているので、衝突するエアが乱流状態となって外部の虫を巻き込んだり、出入りする人に風が当たったりして不快感を与え易いという問題があった。
（２）特開平１１−２４８２２０号や特開２００２−１１５８８４号公報に記載のものでは、エアカーテンの外側周囲に虫が飛び交っているので、人が出入りするたびに虫がまとわりついたり、人の体が風除けになって虫の進入を許したりするという問題があった。
【０００４】
本発明は上記従来の課題を解決するためになされたもので、その使用に際して出入口外部の虫をその気流でを巻き込んだり、人が出入りするたびに気流や虫が当って不快感を与えることなく、エアカーテンの外側周囲に飛び交う虫が内部に進入するのを確実に阻止することのできる虫進入防止装置及びこれを用いた虫進入防止方法を提供することを目的とする。
【０００５】
【課題を解決するための手段】
請求項１に記載の虫進入防止装置は、建物のドアや扉等の出入口に配置された人体感知センサと、前記出入口上部に配置されエアを噴出させる送風口の噴出角度を回動させる回動機構を備えたエアカーテン部と、前記人体感知センサの信号に基づいて前記エアカーテン部の送風オンオフ動作及び前記送風口の回動動作を制御する制御部と、を備えて構成されている。
【０００６】
人体の発する赤外線を検出したり、人が横切ることで遮断される光線の変化を検出したりする人体感知センサを備えているので、これにより出入口に近接してくる人の動きを、例えば５ｍ近くの扉前方から検知して、人が出入口に到達する以前に、制御部に信号を送ってエアカーテン部に所定の動作をさせることできる。即ち、エアカーテン部の送風口からエアを噴出させながら、この気流を下向きから上向きに回動させることで、出入口上部の照明器具等に誘引されて飛び交っている虫を追い払ったり出入口から突出して設けられた庇との間に閉じこめることができ、人の出入りの際に虫がまとわりついたり気流が激しくかかるような不快な状態を回避できる共に、人の出入りに伴う虫の建物内部への進入を効果的に防止できる。
【０００７】
ここで、人体感知センサとしては、赤外線検知式、光電管式、音波探査式などを利用したものをその使用状況に応じて適用することができる。なお、人体感知センサは、出入口の建物の外側や内側もしくはその両側に配置できる。
こうして建物に出入りする人の動きを検知して、この信号を制御装置に送り、予め定められたプログラムに従って、出入口から建物に出入りした人数を算出してその表示を行うこともできる。
【０００８】
エアカーテン部はシロッコファン等の遠心型送風機などが適用でき、その細長に形成された送風口の気流噴出角度を回動させるアクチエータなどの回動機構を備え、送風口から噴射させる気流の動きを制御装置を用いて設定できる。送風口の長さは出入口の幅に略等しいかもしくはそれより長めになっており、その送風口の端面側から水平方向に、例えば１５〜４５度の角度で拡大してエアが噴射され、これによって、出入口の両側部側からの虫の進入を確実に阻止できる。
【０００９】
制御部は、エアカーテン部を制御するプログラムが予め組み込まれたワンチップマイコンやシーケンサ等を備え、人体感知センサや扉の開閉状態を検知する扉開閉センサ等からの信号が入力され、この信号のデータに基づいてエアカーテン部の送風口を所定角度に回動させたりエアを吹き出したりする動作がプログラム設定され、この制御信号によりエアカーテン部が制御される。
【００１０】
請求項２に記載の虫進入防止装置は、請求項１に記載の発明において、前記エアカーテン部が設けられる前記出入口上部の庇内側に電球や蛍光灯、誘蛾灯等の照明器具が配置されて構成されている。
照明器具が出入口上部の、例えば庇に配置されているので、夜間の出入りの際の安全性に優れると共に、蚊や羽虫などを照明器具側に誘引して、出入口近くに虫が群がるのを防止して、エアカーテン部の作動による虫進入防止効果をさらに高めることができる。
ここで、照明器具としては、白熱電球などの他、羽虫等が特に好む波長を放射する誘蛾灯などのランプを用いることができ、さらに誘引効果の向上を図ることができる。
【００１１】
請求項３に記載の虫進入防止装置は、請求項１又は２に記載の発明において、前記制御部が前記人体感知センサからの出力信号をカウントして演算表示するカウント表示部を備えて構成されている。これによって、人体感知センサが設置された出入口から出入りした人数を制御部のマイコンチップなどを用いて演算して、この結果を表示させ、建物の防犯管理などに資することができる。
【００１２】
請求項４に記載の虫進入防止装置を用いた虫進入防止方法は、建物の出入口への人の接近動作を検出する検出工程と、前記接近動作を検出して出入口外側上部に設けられた虫進入防止装置を作動させその送風口を下方に向けて噴射させると共に前記送風口を上方に向けてエアを噴射させながら水平面近くまで回動させるエア噴射工程と、前記出入口の扉に設けられた扉開閉センサの閉止信号又はエアカーテン作動開始時点からの経過時間を測定して設定時間後に終了信号を送るタイマー操作によって前記エアカーテンの送風口を下方に向けて回動させ下方位置に復帰させて停止する復帰工程と、を有して構成されている。
【００１３】
上記の人の出入りを検出する検出工程により建物の出入口から出たり入ったりする人の接近動作を出入口の外側や内側に設けた人体感知センサで検出して、エアカーテン部から送風しながらその送風口を下向きから上向きに回動させることで扉近くで飛び回る羽虫等を庇上方や扉の前方に追い払うことができる。また、人が出入口を通過した後、送風口をもとの位置に復帰させて停止させるので、常時エアカーテン部で送風する場合のようなエネルギーロスがなく、経済的に稼動できる。
【００１４】
【発明の実施の形態】
以下、本発明の一実施の形態につき図面を用いて説明する。
図１は本発明の一実施の形態の虫進入防止装置の構成図であり、図２は虫進入防止装置の制御部に結線される回路構成図であり、図３は虫進入防止装置を用いた虫進入防止方法における制御部の動作フロー図である。
【００１５】
図１において、１０は実施の形態の虫進入防止装置である。１１、１２は建物の出入口の内外にそれぞれ配された人体から放射される赤外線を検知する屋外人体感知センサ（屋外センサ）と屋内人体感知センサ（屋内センサ）である。１３は出入口上部に配置されエアを噴出させる送風口１３ａの噴出角度を回動させる回動機構を備えシロッコファンによりエアを吹き出すエアカーテン部である。１４は屋外及び屋内人体感知センサ１１、１２から信号線１１ａ、１２ａを介して入力される検知信号に基づいてエアカーテン部１３の送風オンオフ動作及び送風口１３ａの回動動作を制御する制御部である。１５は出入口上部に設けられた蛍光灯などの照明器具である。１６は必要に応じて設けられる出入口の扉１６ａの開閉状態を検知するための扉開閉センサである。
【００１６】
図２において、２０はワンチップマイコンであり、屋外人体感知センサ１１、屋内人体感知センサ１２及び扉開閉センサ１６と、カウント部２０ａを介して接続されており、エアカーテン部１３のファンモータ１３ｂ及び送風口駆動用のアクチエータ１３ｃをそれぞれドライバ１３ｄを介して制御する。制御部１４は、前記のワンチップマイコン２０、屋外人体感知センサ１１、屋内人体感知センサ１２、扉開閉センサ１６、カウント部２０ａ、エアカーテン部１３、ファンモータ１３ｂ、アクチエータ１３ｃ、ドライバ１３ｄを有して構成される。
【００１７】
２１は液晶パネル等の表示部であり、屋外人体感知センサ１１、屋内人体感知センサ１２、扉開閉センサ１６などのオンオフ動作のカウント回数や出入り時刻、現在時刻などを表示する。
【００１８】
２２は、カウンタをクリアしたりエアカーテン部の送風口を初期位置に戻したりするためのリセットスイッチである。
２３は、必要に応じて扉１６ａ付近に設けられ外部における夜間と昼間の明るさの変化を検知するための硫化カドミウムを主成分とする光導電素子（ＣＤＳセンサ）である。
【００１９】
以上のように構成される虫進入防止装置１０を用いる虫進入防止方法について図３に示す制御部の動作フロー図及び図４に示すエアカーテン部を用いた虫進入防止方法のフロー図を参照しながら説明する。
まず、ステップＳ１においては、エアカーテン部１３の送風口１３ａを下方に向けて位置付けると共に、屋外人体感知センサ１１及び屋内人体感知センサ１２のカウンタをクリアして初期化する（図４（ａ）参照）。
ステップＳ２で屋外人体感知センサ１１、屋内人体感知センサ１２の信号を取得して、ステップＳ３及びステップＳ６で信号の有無を判定する。
ステップＳ３のチェックで屋外人体感知センサ１１により赤外線の放射が検出され時（Ｙ）はステップＳ４へ、無検出の時（Ｎ）はステップＳ６へ移行する。
【００２０】
こうしてステップ（Ｓ４、Ｓ５）及びステップ（Ｓ７、Ｓ８）で屋外人体感知センサ１１及び屋内人体感知センサ１２のいずれかで出入口に接近してくる人からの赤外線を検知したときに図４（ｂ）〜（ｃ）に示すようにエアカーテン部１３を所定のプログラムされた動作で動作させる。次に送風口１３ａを下向きにした初期位置（図４（ｄ））に復帰させると共に、各センサ１１、１２からのカウンタ値に１を加算してメモリに記録し、ステップＳ２のセンサ信号取得の状態に戻る。
【００２１】
以上のステップＳ２〜Ｓ８を繰り返すことで、エアカーテン部１３を適正に動作させて出入口からの虫の進入を防止する動作を行わせることができると共に、人の出入りをカウントできる。
【００２２】
続いて、前記エアカーテン部１３における動作を図４、図５を参照しながら更に詳しく説明する。
図５はエアカーテン部１３における送風口１３ａの回動動作を示す模式的斜視図であり、図５（ａ）は送風口１３ａを下向きにした初期状態を、図５（ｂ）は回動中の状態を、図５（ｃ）は庇下の天井部に位置付けた状態をそれぞれ示している。
まず、図４（ａ）に示すように屋外人体感知センサ１１を用いて出入口への人の接近動作を検出するようにチェックする（検出工程）。
【００２３】
次に、図４（ｂ）、（ｃ）に示すように人の接近動作を検出してエアカーテン部１３を作動させて送風口１３ａを下方に向けて噴射させると共に送風口１３ａをアクチエータ１３ｃを用いて回動させ、上方に向けてエア噴射させながら水平面近くまで回動させる（エア噴射工程）
【００２４】
図４（ｄ）ではエアカーテン部１３の作動開始時点から所定の設定時間例えば５〜１０秒に設定しておき、送風口１３ａを水平位置から下方に向けて回動させて元位置に復帰させて停止させる（復帰工程）。なお、このようなタイマー操作とは別に屋外人体感知センサ１２や扉開閉センサ１６、ＣＤＳセンサにより人が建物内に入ったのを検知してエアカーテン部１３の復帰動作を行うようにしてもよい。
【００２５】
なお、ここでは屋外から人が建物に入る場合について説明したが、屋内の人が出入口から屋外に出る場合も、エアカーテン部１３をほぼ同様に動作させることで予め虫がエアで追い払われた出入口を通って退出することができる。この場合はエアカーテン部１３の動作時間を、屋内人体感知センサ１２が検知してから扉１６ａを開けて出るまでの時間に相当する分だけ、人が建物に入る場合よりも長く設定しておくとよい。
【００２６】
実施の形態の虫進入防止装置及びこれを用いた虫進入防止方法は以上のように構成されているので、以下の作用を有する。
（１）人体感知センサ１１、１２を備えているので、人が出入口に到達する以前に、エアカーテン部１３の送風口１３ａからエアを噴出させながら、この気流を下向きから上向きに回動させ、出入口付近の虫を追い払うことができ、人の出入りの際の不快な状態を回避できる共に、扉１６ａの開閉に伴う虫の建物内部への進入を効果的に防止できる。
（２）建物に出入りする人の動きを屋外人体感知センサ１１、屋内人体感知センサ１２で検知して、この信号を制御部１４に送り、予め定められたプログラムに従って、出入口から建物に出入りした人数を算出してその表示を行うこともでき防犯等の管理に適用できる。
【００２７】
（３）照明器具１５が出入口上部の庇に配置されているので、夜間の出入りの際の安全性に優れると共に、蚊や羽虫などを照明器具側に誘引して、出入口近くに虫が群がるのを防止して、エアカーテン部１３の作動による虫進入防止効果をさらに高めることができる。
（４）人が出入口を通過した後、エアカーテン部１３の送風口１３ａをもとの位置に復帰させて停止させるので、常時、エアカーテン部で出入口を送風する場合のようなエネルギーロスが少なく、経済的に稼動させることができる。
【００２８】
【発明の効果】
本発明の虫進入防止装置及びこれを用いた虫進入防止方法によれば、その使用に際して出入口外部の虫をその気流で巻き込んだり、人が出入りするたびに気流や虫が当って人に不快感を与えることもなく、出入口の上部に配置したエアカーテンで虫を閉じこめておくことにより虫が建物内部に進入するのを確実に阻止できる。
【図面の簡単な説明】
【図１】本発明の一実施の形態に係る虫進入防止装置の構成図である。
【図２】虫進入防止装置の制御部に結線される回路構成図である。
【図３】虫進入防止装置を用いた虫進入防止方法における制御部の動作フロー図である。
【図４】虫進入防止装置を用いた虫進入防止方法のフロー説明図である。
【図５】エアカーテン部における送風口の回動動作を示す模式的斜視図である。
【符号の説明】
１０：　虫進入防止装置
１１：　屋外人体センサ
１１ａ：　信号線
１２：　屋内人体センサ
１２ａ：　信号線
１３：　エアカーテン部
１３ａ：　送風口
１３ｂ：　ファンモータ
１３ｃ：　アクチエータ
１３ｄ：　ドライバ
１４：　制御部
１５：　照明器具
１６：　開閉センサ
１６ａ：　扉
２０：　ワンチップマイコン
２０ａ：　カウント部
２１：　表示部
２２：　リセットスイッチ
２３：　ＣＤＳセンサ
【図１】
2004061079.tif 000003
【図２】
2004061079.tif 000004
【図３】
2004061079.tif 000005
【図４】
2004061079.tif 000006
【図５】
2004061079.tif 000007